(57)【要約】【課題】展示をする上で有利であるとともに、開かれた状態で損傷に至る恐れがなく、しかも、携帯中に発電できる携帯電源装置を提供することにある。【解決手段】第１の太陽電池パネルを支持する第１のケース（本体ケース）２と第２の太陽電池パネルを支持する第２のケース（蓋体）５と回転自在に連結する接続機構２０を備え、第１、第２のケース２，５の内のいずれか一方に、太陽電池パネルが発電した電力を蓄える電源電池を内蔵するとともに、この電源電池の電力を外部に供給する充電コネクタを設ける。接続機構が、第１、第２の太陽電池パネルが向かい合うように第１、第２のケース２，５が閉じられた折畳み位置と、第１、第２の太陽電池パネルが露出しかつ第１、第２のケース２，５が背合わせ状態となるように第１、第２のケース２，５が最大に開かれた最大開き位置とにわたって、第１、第２のケース２，５の回転を許す構成であることを特徴としている。【選択図】図５
2011045206.tif 000002
【特許請求の範囲】
【請求項１】
第１のケースと、
この第１のケースに支持された第１の太陽電池パネルと、
第２のケースと、
この第２のケースに支持された第２の太陽電池パネルと、
前記第１、第２のケースを回転可能に接続し、かつ、前記第１、第２の太陽電池パネルが向かい合うように前記第１、第２のケースが閉じられた折畳み位置と前記第１、第２の太陽電池パネルが露出しかつ前記第１、第２のケースが背合わせ状態となるように前記第１、第２のケースが最大に開かれた最大開き位置とにわたって前記第１、第２のケースの回転を許す接続機構と、
前記第１、第２のケースの内のいずれか一方に内蔵され前記太陽電池パネルが発電した電力を蓄える電源電池と、
前記一方のケースに設けられて前記電源電池の電力を外部に供給する充電コネクタと、
を具備することを特徴とする携帯電源装置。
【請求項２】
前記接続機構が、
前記第１のケースの連結端部の幅内に設けられた一対の第１の枢支部と、
前記第２のケースの連結端部の幅内に設けられた一対の第２の枢支部と、
前記連結端部の厚み以上の距離を隔てて配設される第１の接続部及び第２の接続部を夫々両端部に有し、前記第１の接続部を前記第１の枢支部に回転可能に嵌合するとともに前記第２の接続部を前記第２の枢支部に回転可能に嵌合して、前記第１、第２のケースを接続してこれらの間に設けられた継手部材と、
を備えていることを特徴とする請求項１に記載の携帯電源装置。
【請求項３】
前記第１の枢支部とこれに接続される前記第１の接続部の内の一方が軸であるとともに、他方が前記第１の枢支部に嵌合する第１の嵌合部を有しており、前記第２の枢支部とこれに接続される前記第２の接続部の内の一方が軸であるとともに、他方が前記第２の枢支部に嵌合する第２の嵌合部を有していることを特徴とする請求項２に記載の携帯電源装置。
【請求項４】
前記第１の枢支部が枠状に形成された前記第１の嵌合部を備えているとともに、前記第２の枢支部が枠状に形成された前記第２の嵌合部を備えており、前記第１の接続部が前記継手部材の端面から突出して前記第１の嵌合部内に回転可能に嵌合される第１の軸であるとともに、前記第２の接続部が前記継手部材の端面から突出して前記第２の嵌合部内に回転可能に嵌合される第２の軸であり、前記第１、第２の嵌合部は弾性変形が可能な一対の軸挟持部位を有しており、これらの軸挟持部位の相対向する面に係合溝が形成されているとともに、これら係合溝に係脱される複数の係合突起が前記第１、第２の軸の周部に設けられていることを特徴とする請求項３に記載の携帯電源装置。
【請求項５】
前記電源電池及び充電コネクタが設けられた前記一方のケース側の前記第１の嵌合部が有した前記軸挟持部位の弾性力が、他方のケース部材側の前記第２の嵌合部が有した前記軸挟持部位の弾性力より強いことを特徴とする請求項４に記載の携帯電源装置。
【請求項６】
前記第１のケースの連結端部の外面が前記第１の接続部を中心とする半径で描かれる半円状面を有して形成されているとともに、前記第２のケースの連結端部の外面が前記第２の接続部を中心とする半径で描かれる半円状面を有して形成されていることを特徴とする請求項４又は５に記載の携帯電源装置。
【発明の詳細な説明】
【技術分野】
【０００１】
本発明は、太陽光エネルギーを電気エネルギーに変換する太陽電池パネルを備え、携帯電話等の携帯機器内の二次電池に充電するために携帯される携帯電源装置に関する。
【背景技術】
【０００２】
二次電池が内蔵される外装部材をなす筐体及び蓋体を折畳み可能にヒンジ連結するとともに、筐体と蓋体の内側に夫々太陽電池パネルを装備し、これらのパネルが合わさる形態に外装部材を閉じて携帯することができ、外装部材を開くことで太陽電池パネルが露光されるようにして太陽電池パネルに発電を行わせる携帯電源装置が、従来知られている（例えば、特許文献１参照。）。
【先行技術文献】
【特許文献】
【０００３】
【特許文献１】実用新案登録第3105755号公報（段落0004−0007、図１、図３）
【発明の概要】
【発明が解決しようとする課題】
【０００４】
特許文献１の携帯電源装置でのヒンジ連結は、筐体の上部に設けられたヒンジ凸部と蓋体の下部に設けられたヒンジ凸部とを交互に並ぶように組み合わせるとともに、これらヒンジ凸部を外装部材の幅方向に貫通する１本の軸で連結した構成である。
【０００５】
この携帯電源装置は、それを販売店等で展示する場合、必ず外装部材を開いた状態にする必要がある。外装部材が閉じた状態であると、太陽電池パネルが視認できないので、外装部材の外観のみに依存してどのような商品であるのかを知らせることが困難であり、販売をする上での訴求力が低い。
【０００６】
更に、特許文献１の携帯電源装置の構成では、外装部材を開閉する際の回転中心となる単一の軸が、外装部材の厚み方向中間位置に配置されているので、外装部材の開き角度は最大で略２７０°が限界であり、外装部材をなした筐体と蓋体を背合わせ状態に開くことはできない。更に、以上のように外装部材の開き角度に限界があるため、それ以上開く外力が誤って加わることがあると、ヒンジ連結の部分に過負荷が掛かり、損傷する恐れが考えられる。
【０００７】
又、特許文献１の携帯電源装置は、外装部材を閉じた状態で携帯するものであるため、この携帯中に太陽電池パネルで受光し、それにより発電した電力を蓄電することはできない。
【０００８】
以上のように従来技術の携帯電源装置は、展示をする上で不利であるとともに、過度の開力を受けて損傷に至る恐れがあり、しかも、携帯中に発電できない、という課題がある。
【課題を解決するための手段】
【０００９】
前記課題を解決するために、本発明は、第１のケースと、この第１のケースに支持された第１の太陽電池パネルと、第２のケースと、この第２のケースに支持された第２の太陽電池パネルと、前記第１、第２のケースを回転可能に接続し、かつ、前記第１、第２の太陽電池パネルが向かい合うように前記第１、第２のケースが閉じられた折畳み位置と前記第１、第２の太陽電池パネルが露出しかつ前記第１、第２のケースが背合わせ状態となるように前記第１、第２のケースが最大に開かれた最大開き位置とにわたって前記第１、第２のケースの回転を許す接続機構と、前記第１、第２のケースの内のいずれか一方に内蔵され前記太陽電池パネルが発電した電力を蓄える電源電池と、前記一方のケースに設けられて前記電源電池の電力を外部に供給する充電コネクタと、を具備することを特徴としている。
【００１０】
本発明の好ましい形態では、前記接続機構が、前記第１のケースの連結端部の幅内に設けられた一対の第１の枢支部と、前記第２のケースの連結端部の幅内に設けられた一対の第２の枢支部と、前記連結端部の厚み以上の距離を隔てて配設される第１の接続部及び第２の接続部を夫々両端部に有し、前記第１の接続部を前記第１の枢支部に回転可能に嵌合するとともに前記第２の接続部を前記第２の枢支部に回転可能に嵌合して、前記第１、第２のケースを接続してこれらの間に設けられた継手部材と、を備えていることを特徴としている。
【００１１】
この好ましい形態において、第１の枢支部は、第１のケースと別に形成されていてこの第１のケースに固定されていてもよく、或いは第１のケースに一体に形成されていてもよく、同様に、第２の枢支部は、第２のケースと別に形成されていてこの第２のケースに固定されていてもよく、或いは第２のケースに一体に形成されていてもよい。更に、この好ましい形態で、枢支部と接続部とは相対的に回転可能に嵌合される関係にあればよいとともに、枢支部と接続部とは、所定角度ごとに節度を伴って相対的に回転されるようにしても、或いはこうした節度を伴うことなく相対的に回転されるようにしてもよい。又、この好ましい形態において、並設された第１、第２の接続部間の距離が連結端部の厚み以上であるとは、第１、第２の接続部の中心間距離を指している。これとともに、前記距離を連結端部の厚みと略等しくすることは、第１、第２のケースの背合わせ面が略平行となるので、最大開き状態を厚み方向にコンパクトにできる点で好ましいが、前記距離を長くする程、第１、第２のケースの背合わせ面の平行度が損なわれる反面で、３６０°を超えて一方のケースを基準として他方のケースを回転させることが可能となる。
【００１２】
又、本発明の好ましい形態では、前記第１の枢支部とこれに嵌合される前記第１の接続部の内の一方が軸であるとともに、他方が前記第１の枢支部に嵌合する第１の嵌合部を有しており、前記第２の枢支部とこれに嵌合される前記第２の接続部の内の一方が軸であるとともに、他方が前記第２の軸枢支部に嵌合する第２の嵌合部を有していることを特徴としている。
【００１３】
又、本発明の好ましい形態では、前記第１の枢支部が枠状に形成された前記第１の嵌合部を備えているとともに、前記第２の枢支部が枠状に形成された前記第２の嵌合部を備えており、前記第１の接続部が前記継手部材の端面から突出して前記第１の嵌合部内に回転可能に嵌合される第１の軸であるとともに、前記第２の接続部が前記継手部材の端面から突出して前記第２の嵌合部内に回転可能に嵌合される第２の軸であり、前記第１、第２の嵌合部は弾性変形が可能な一対の軸挟持部位を有しており、これらの軸挟持部位の相対向する面に係合溝が形成されているとともに、これら係合溝に係脱される複数の係合突起が前記第１、第２の軸の周部に設けられていることを特徴としている。
【００１４】
この好ましい形態において、係合突起の数を多くする程、係合溝への係脱に伴う節度の回数と、係合溝に係合突起が係合した位置に開かれた方のケースを保持する回数を、より多く確保できる点で好ましい。
【００１５】
又、本発明の好ましい形態では、前記電源電池及び充電コネクタが設けられた前記一方のケース側の前記第１の嵌合部が有した前記軸挟持部位の弾性力が、他方のケース部材側の前記第２の嵌合部が有した前記軸挟持部位の弾性力より強いことを特徴としている。
【００１６】
この好ましい形態において、第１、第２の嵌合部が有した軸挟持部位の弾性力の差は、第１、第２の嵌合部の軸挟持部位の厚み及び幅の内の少なくとも一方を変えることで設定できるとともに、第１、第２の嵌合部を異なる材料で作り、或いは同種の材料でも組成が異なる材料で作ることで設定できる。
【００１７】
又、本発明の好ましい形態では、前記第１のケースの連結端部の外面が前記第１の接続部を中心とする半径で描かれる半円状面を有して形成されているとともに、前記第２のケースの連結端部の外面が前記第２の接続部を中心とする半径で描かれる半円状面を有して形成されていることを特徴としている。
【発明の効果】
【００１８】
本発明の携帯電源装置によれば、太陽電池パネルを露出させるための開き角度の自由度が高く、かつ、太陽電池パネルを露出させて展示可能であるので、展示上の訴求力を向上できるとともに、最大に開かれた場合第１、第２のケースが背合わせ状態となっているので、この状態から誤って更に開く力が作用しても、損傷に至る恐れがなく、又、背合わせ状態で太陽光に晒されるように携帯できるので、携帯中に一方の太陽電池パネルで受光して発電できる、という効果ある。
【図面の簡単な説明】
【００１９】
【図１】(Ａ)は本発明の一実施の形態に係る携帯電話用の携帯充電器を閉じた状態でかつ表側一端部側から視認して示す斜視図である。(Ｂ)は本発明の一実施の形態に係る携帯電話用の携帯充電器を閉じた状態でかつ表側他端部側から視認して示す斜視図である。(Ｃ)は本発明の一実施の形態に係る携帯電話用の携帯充電器を閉じた状態で裏側から視認して示す斜視図である。
【図２】（Ａ）〜（Ｄ）は一実施形態の携帯充電器が夫々異なる角度に開かれた状態を示す斜視図である。
【図３】（Ａ）（Ｂ）は一実施形態の携帯充電器が最大に開かれた状態を夫々異なる方向から視認して示す斜視図である。
【図４】一実施形態の携帯充電器を分解して示す斜視図である。
【図５】（Ａ）〜（Ｇ）は一実施形態の携帯充電器の夫々異なる状態を示す側面図である。
【図６】図５（Ａ）の状態での携帯充電器の一部を示す断面図である。
【図７】図５（Ｂ）の状態での携帯充電器の一部を示す断面図である。
【図８】図５（Ｃ）の状態での携帯充電器の一部を示す断面図である。
【図９】図５（Ｄ）の状態での携帯充電器の一部を示す断面図である。
【図１０】図５（Ｅ）の状態での携帯充電器の一部を示す断面図である。
【図１１】図５（Ｆ）の状態での携帯充電器の一部を示す断面図である。
【図１２】図５（Ｇ）の状態での携帯充電器の一部を示す断面図である。
【発明を実施するための形態】
【００２０】
以下、図１〜図１２を参照して本発明の一実施の形態について、詳細に説明する。
【００２１】
図中符号１は携帯電源装置例えば携帯充電器を示している。携帯充電器１は、携帯可能に構成された携帯機器（図示しない）内の二次電池が容量不足になった際に、この二次電池に充電をするために用いられる。携帯機器としては、携帯電話を代表的に挙げることができるが、携帯可能な機器であれば、ＣＤプレーヤー、ＭＤプレーヤー、コンパクト型デジタルカメラ、ＰＤＡ、ラップトップパソコン等にも、携帯充電器１を用いて充電可能である。
【００２２】
携帯電話用として開発された本実施形態の携帯充電器１は、第１のケース例えば本体ケース２と、第２のケース例えば蓋体５と、接続機構２０と、第１の太陽電池パネル２６と、第２の太陽電池パネル２８と、電源電池３１と、回路ユニット３３と、充電コネクタ３５等を具備している。
【００２３】
本体ケース２は、略長方形で使用者の手の平に収まる程度の大きさに作られており、合成樹脂製の本体ケース部材３及び本体カバー部材４を連結してなる。本体カバー部材４はその周部を除いて開放された長四角形状の本体開口４ａ(図４参照)を有して枠状に形成されている。
【００２４】
本体ケース２の長手方向一端部は連結端部２ａをなしているとともに、本体ケース２の長手方向他端部は連結端部２ａより厚く形成されている。連結端部２ａは、図４に示すように本体ケース２の幅方向両端部に設けられた一対の凸部２ｂ及びこれらの間に形成された凹部２ｃを有している。一対の凸部２ｂは凹部２ｃに臨んで開放されている。連結端部２ａの外面、より具体的には凸部２ｂの外面は、後述する第１の軸からなる第１の接続部を中心とする半径で描かれる半円状面２ｂｆ（図６で代表する。）を有して形成されている。
【００２５】
蓋体５は、本体ケース２と略同じ大きさに作られており、合成樹脂製の蓋体ケース部材６及び蓋体カバー部材７を連結してなる。蓋体カバー部材７はその周部を除いて開放された長四角形状の蓋体開口７ａ（図４参照）を有して枠状に形成されている。
【００２６】
蓋体５の長手方向一端部は連結端部５ａをなしているとともに、この連結端部５ａは蓋体５の長手方向他端部より厚く形成されている。連結端部５ａは、図４に示すように蓋体５の幅方向両端部に設けられた一対の凸部５ｂ及びこれらの間に形成された凹部５ｃを有している。一対の凸部５ｂは凹部５ｃに臨んで開放されている。連結端部５ａの外面、より具体的には凸部５ｂの外面は、後述する第２の軸からなる第２の接続部２３を中心とする半径で描かれる半円状面５ｂｆ（図６で代表する。）を有して形成されている。
【００２７】
接続機構２０は、一対の第１の第１の枢支部１２と、一対の第２の枢支部１６と、継手部材２１を備えてなり、本体ケース２と蓋体５を回転可能に接続して設けられている。この接続機構２０の継手部材２１と本体ケース２と蓋体５とは、携帯充電器１の外郭を形成している。
【００２８】
一対の第１の枢支部１２は本体ケース２に設けられている。これら第１の枢支部１２は、合成樹脂の一体成形品からなり、図４に示すように第１の嵌合部１３と固定凸部１４を備えている。第１の嵌合部１３は図４及び図６〜図１２に示すように略四角枠状に形成されている。これとともに、第１の嵌合部１３が有した一対の軸挟持部位１3ａは、第１の嵌合部１３の長片をなしていて相対向している。これら軸挟持部位１3ａは、互いに接離する方向に弾性変形することが可能であり、かつ、内面にＶ形状又は半円形状の係合溝１５が形成されている。固定凸部１４は第１の嵌合部１３の長手方向一端に突設されている。
【００２９】
これら第１の枢支部１２は、その固定凸部１４を図６〜図１２に示すように本体ケース部材３と本体カバー部材４で挟着することによって、本体ケース２に固定されている。これにより、第１の枢支部１２は、連結端部２ａの幅内に設けられており、具体的には凸部２ｂに内蔵されている。
【００３０】
一対の第２の枢支部１６は蓋体５に設けられている。これら第２の枢支部１６は、合成樹脂の一体成形品からなり、図４に示すように第２の嵌合部１７と固定凸部１８を備えている。第２の嵌合部１７は図４及び図６〜図１２に示すように略四角枠状に形成されている。これとともに、第２の嵌合部１７が有した一対の軸挟持部位１７ａは、第２の嵌合部１７の長片をなしていて相対向している。これら軸挟持部位１７ａは、互いに接離する方向に弾性変形することが可能であり、かつ、内面にＶ形状又は半円形状の係合溝１９が形成されている。固定凸部１８は第２の嵌合部１７の長手方向一端に突設されている。
【００３１】
第１の嵌合部１３が有した軸挟持部位１３ａの弾性力は、第２の嵌合部１７が有した軸挟持部位１７ａの弾性力より強くしてある。そのために、軸挟持部位１３ａの厚み及び幅が軸挟持部位１７ａの厚み及び幅より大きく作られている。
【００３２】
これら第２の枢支部１６は、その固定凸部１８を図６〜図１２に示すように蓋体ケース部材６と蓋体カバー部材７で挟着することによって、蓋体５に固定されている。これにより、第２の枢支部１６は、連結端部５ａの幅内に設けられており、具体的には凸部５ｂに内蔵されている。
【００３３】
合成樹脂の一体成形品からなる継手部材２１は、その幅方向の半分の部位が凹部２ｃ又は５ｃに緩く嵌合できる大きさに作られていて、図４に示すように端面形状は略長円形である。継手部材２１の一端部に第１の接続部２２及び第２の接続部２３が並設されているとともに、他端部にも第１の接続部２２及び第２の接続部２３が並設されている。隣接している第１の接続部２２と第２の接続部２３と中心間の距離Ｌ（図７及び図１２で代表する。）は、連結端部２ａ及び５ａの厚み以上であり、本実施形態では連結端部２ａ及び５ａの厚みＴ（図７及び図１２で代表する。）に略等しい。
【００３４】
一対の第１の接続部２２は同一軸線上に設けられて互いに反対方向に継手部材２１の端面から突出された第１の軸で形成されている。これら第１の接続部２２の周部に複数の第１係合突起２２ａが周方向に一定間隔毎に設けられている。これら第１係合突起２２ａの数は、本実施形態では本体ケース２に対して継手部材２１が４５°回転されるたびに節度を得られるように８個設けてあるが、これには限定されない。
【００３５】
同様に、一対の第２の接続部２３は同一軸線上に設けられて互いに反対方向に継手部材の端面から突出された第２の軸で形成されている。この軸は第１の接続部２２をなした軸と平行である。これら第２の接続部２３の周部に複数の第２係合突起２３ａが周方向に一定間隔毎に設けられている。これら第２係合突起２３ａの数は、本実施形態では継手部材２１に対して蓋体５が４５°回転されるたびに節度を得られるように８個設けてあるが、これには限定されない。
【００３６】
第１の接続部２２は、第１の枢支部１２に回転可能に嵌合されている。具体的には、第１の嵌合部１３内に第１の接続部２２が回転可能に嵌合されている。この嵌合状態で、第１の接続部２２は軸挟持部位１３ａで弾性的に挟持されているとともに、第１の接続部２２をなす第１の軸の径方向に対応して位置された一対の第１係合突起２２ａが係合溝１５に係合されている。第１の接続部２２と第１の枢支部１２との相対的回転に伴い、第１係合突起２２ａは軸挟持部位１３ａの弾性変形を伴って係合溝１５に係脱可能である。
【００３７】
同様に、第２の接続部２３は、第２の枢支部１６に回転可能に嵌合されている。具体的には、第２の嵌合部１７内に第２の接続部２３が回転可能に嵌合されている。この嵌合状態で、第２の接続部２３は軸挟持部位１７ａで弾性的に挟持されているとともに、第２の接続部２３をなす第２の軸の径方向に対応して位置された一対の第２係合突起２３ａが係合溝１９に係合されている。第２の接続部２３と第２の枢支部１６との相対的回転に伴い、第２係合突起２３ａは軸挟持部位１７ａの弾性変形を伴って係合溝１９に係脱可能である。
【００３８】
以上のように本体ケース２に固定された第１の枢支部１２に対して第１の接続部２２が嵌合されることで、継手部材２１が本体ケース２の連結端部２ａに回転可能に連結されている。これとともに、蓋体５に固定された第２の枢支部１６に対して第２の接続部２３が嵌合されることで、継手部材２１が蓋体５の連結端部５ａに回転可能に連結されている。これにより、図１に示すように蓋体５が本体ケース２を閉じた折畳み位置と、図３（Ａ）（Ｂ）に示すように本体ケース２と蓋体５が背合わせ状態となる最大開き位置とにわたって、本体ケース２と蓋体５とが回転可能に接続されている。
【００３９】
図３（Ａ）（Ｂ）及び図４等に示すように本体ケース２にはその本体開口４ａを塞いで第１の太陽電池パネル２６が配設されている。この第１の太陽電池パネル２６の周部は本体開口４ａの縁に本体ケース２の内側から接触しており、それにより、第１の太陽電池パネル２６の表面(受光面)は本体カバー部材４の表面より僅かに下がっている。同様に、蓋体５にはその蓋体開口７ａを塞いで第２の太陽電池パネル２８が配設されている。第２の太陽電池パネル２８は第１の太陽電池パネル２６と略同じ大きさである。この第２の太陽電池パネル２８の周部は蓋体開口７ａの縁に蓋体５の内側から接触しており、それにより、第２の太陽電池パネル２８の表面(受光面)は蓋体カバー部材７の表面より僅かに下がっている。
【００４０】
光電変換をする太陽電池パネル２６，２８は、発電素子、例えば半導体発電素子、具体的には単結晶シリコンセル、多結晶シリコンセル、アモルファスシリコンセルと電極とを連結して薄板状に形成されたものであるが、その発電素子に有機系、無機系、或いは色素系の発電素子を用いてなる太陽電池パネルを用いることも可能である。
【００４１】
図６〜図１２に示すように本体ケース２に、電源電池３１、回路ユニット３３、及び図示しないＡＣ充電コネクタが内蔵されているとともに、充電コネクタ３５（図１及び図４等参照）が取付けられている。電源電池３１は、両太陽電池パネル２６，２８の発電により回路ユニット３３を経由して供給される電力、及びＡＣ充電コネクタを通して給電される電力を蓄える二次電池である。この二次電池にはニッケル水素電池やリチウムイオン電池等を好適に用いることができる。
【００４２】
回路ユニット３３は、回路基板に複数の電気部品（図示しない）を装着してなり、整流回路その他の必要な回路を有している。回路ユニット３３の周部に搭載されたＡＣ充電コネクタには、図１（Ａ）に示した本体ケース２の側面に設けた蓋部２ｄを開くことにより、この蓋部２ｄが開かれた跡を通して挿脱されるＡＣ充電コネクタ(図示しない)が接続可能である。
【００４３】
充電コネクタ３５は、回路ユニット３３を介して電源電池３１に電気的に接続されているとともに、図１（Ｃ）等に示すように本体ケース２の連結端部２ａと反対側の端部(自由端部)に開放して形成された格納凹部２ｅに配設されている。充電コネクタ３５は図１（Ｃ）中矢印Ｆに示す方向に略１８０°回転可能である。この充電コネクタ３５が回転操作されることにより、充電コネクタ３５は、格納凹部２ｅに格納される格納位置と、本体ケース２外に突出した使用位置とにわたって移動される。充電コネクタ３５は格納されることにより携帯の邪魔にならないとともに、使用位置において充電コネクタ３５は、携帯電話等の携帯機器の充電端子に接続可能である。
【００４４】
又、図１及び図４中符号３７はストラップの取付け孔を示し、符号３９は充電表示部を示している。これら取付け孔３７及び充電表示部３９は本体ケース２に取付けられている。充電表示部３９は回路ユニット３３の周部に取付けられた図示しないＬＥＤ(発光ダイオード)で照らされ、このＬＥＤと充電表示部３９とにより電源電池３１の充電状態が表示されるようになっている。以上のように様々な電気部品が設けられた本体ケース２は、蓋体５よりも重量が重い。更に、図中符号４０は蓋体５に自由端部に設けられた弾性変形が可能な係合片を示している。この係合片４０は、携帯充電器１を閉じた状態にした際、本体ケース２の自由端に係合して、携帯充電器１の閉じ状態を保持するが、携帯充電器１に開き力が与えられるに伴い、弾性変形して本体ケース２の自由端から外れるようになっている。
【００４５】
前記構成の携帯充電器１を携帯する通常の態様では、図１及び図５（Ａ）に示すように携帯充電器１が二つ折りされて閉じた状態にある。この状態では、図６に示すように本体ケース２と蓋体５とが閉じられた折畳み位置にあって、第１の太陽電池パネル２６と第２の太陽電池パネル２８とが向かい合っている。こうした携帯の態様では、第１の太陽電池パネル２６と第２の太陽電池パネル２８が外部に露出することなく本体ケース２と蓋体５とで保護されているので、両太陽電池パネル２６，２８の受光面が傷付くことがない。しかも、本体開口４ａ及び蓋体開口７ａより若干下がっている太陽電池パネル２６，２８は、その受光面同士が接して傷付くこともない。したがって、継続使用に伴い受光面を原因とする見栄えが低下することがないだけではなく、受光面の傷付きを原因とする両太陽電池パネル２６，２８の発電効率の低下を抑制できる。
【００４６】
前記構成の携帯充電器１は、図１及び図５（Ａ）に示すように閉じられた折畳み位置から図５（Ｇ）及び図３に示すように本体ケース２と蓋体５が背合わせ状態となる最大開き位置にわたって、本体ケース２に対して蓋体５を回転させることができる。こうした回転の工程を図５（Ａ）〜図５（Ｇ）に順に示す。
【００４７】
すなわち、まず、蓋体５が、閉じた状態から図５（Ｂ）に示すように９０°開かれる場合、第２の枢支部１６と第２の接続部２３との相対位置が変わり、その際、４５°回転された時点と９０°回転された時点とにおいて第２係合突起２３ａと係合溝１９との係脱による節度が与えられるとともに、その開き位置に蓋体５が保持される。蓋体５が９０°開かれた状態での接続機構２０の状態を図７に示す。
【００４８】
蓋体５の回転が更に継続されて図５（Ｃ）に示すように１８０°まで蓋体５が開かれる場合、１３５°回転された時点と１８０°回転された時点とにおいて第２係合突起２３ａと係合溝１９との係脱による節度が与えられるとともに、その開き位置に蓋体５が保持される。蓋体５が１８０°開かれた状態での接続機構２０の状態を図８に示す。
【００４９】
この状態から蓋体５が更に回転される場合、本体ケース２の連結端部２ａが邪魔になるので、蓋体５が水平姿勢を保ったままで連結端部２ａの上部周面に沿うように動かされる。この動作は、それまで立っていた継手部材２１が９０°倒れるように本体ケース２に対して回転することにより実現されて、図５（Ｄ）に示すように本体ケース２と蓋体５とが同じ高さで水平状態に並べられる。この動作において、第１の枢支部１２と第１の接続部２２との相対位置が変わり、その際、継手部材２１が４５°回転される度に第１係合突起２２ａと係合溝１５との係脱による節度が与えられる。こうして、蓋体５が１８０°開かれて本体ケース２と同じ高さ水平に並べられた状態での接続機構２０の状態を図９に示す。
【００５０】
更に、蓋体５が更に回転される場合、蓋体５が水平姿勢を保ったままで連結端部２ａの下部周面に沿うように動かされる。この動作は、それまで横倒れ状態にあった継手部材２１が本体ケース２の裏側に突出するように更に９０°回転することで実現されて、図５（Ｅ）に示すように本体ケース２に対して蓋体５が一段下がった水平状態に並べられる。この動作において、第１の枢支部１２と第１の接続部２２との相対位置が変わり、その際、継手部材２１が４５°回転される度に第１係合突起２２ａと係合溝１５との係脱による節度が与えられる。こうして、蓋体５が１８０°開かれた状態でかつ本体ケース２に対して一段下がって本体ケース２に並べられた状態での接続機構２０の状態を図１０に示す。
【００５１】
この状態から、蓋体５が更に回転される場合、本体ケース２の連結端部２ａは邪魔にならないので、第２の枢支部１６と第２の接続部２３との相対位置が変わり、その際、２２５°回転された時点と２７０°回転された時点とにおいて第２係合突起２３ａと係合溝１９との係脱による節度が与えられるとともに、その開き位置に蓋体５が保持される。蓋体５が２７０°開かれた状態では、図５（Ｅ）に示すように蓋体５は本体ケース２の裏側に略直角に配置され、又、こうした配置での接続機構２０の状態を図１１に示す。
【００５２】
引き続いて蓋体５が更に回転される場合、第２の枢支部１６と第２の接続部２３との相対位置が変わり、その際、３１５°回転された時点と略３６０°回転された時点とにおいて第２係合突起２３ａと係合溝１９との係脱による節度が与えられるとともに、その開き位置に蓋体５が保持される。蓋体５が略３６０°最大に開かれた状態では、図３（Ａ）（Ｂ）に示すように第１の太陽電池パネル２６及び第２の太陽電池パネル２８がともに露出されるとともに、図５（Ｇ）に示すように蓋体５が本体ケース２と背合わせとなる関係位置に配置され、又、こうした配置での接続機構２０の状態を図１２に示す。
【００５３】
以上のように携帯充電器１は蓋体５が閉じた状態から略３６０°開くことができるとともに、蓋体５が最大開き位置からそれ以上開かれようとする場合、蓋体５はこれに対して背合わせ状態の本体ケース２の背面で支持される。このため、蓋体５が過度に開かれて本体ケース２と蓋体５を接続した接続機構２０に過負荷が与えられて損傷に至る恐れがない。又、以上と逆の手順により携帯充電器１を最大開き位置から折畳み位置に閉じることができる。
【００５４】
軸挟持部位１３ａの弾性力は軸挟持部位１７ａの弾性力より強いので、第１の枢支部１２の係合溝１５と第１の接続部２２の第１係合突起２２ａとの係合力は、第２の枢支部１６の係合溝１９と第２の接続部２３の第２係合突起２３ａとの係合力よりも強い。そのため、以上の携帯充電器１が平行な二軸の回転中心を有しているにも拘らず、図５（Ａ）〜（Ｇ）に示した順序で必ず蓋体５が開かれ、こうした順序とは異なる順序で蓋体５が開かれることがないとともに、蓋体５を閉じる場合にも図５（Ｇ）〜（Ａ）に示した順序で必ず蓋体５が閉じられる。このように一定の順序で蓋体５を開閉できるので、取扱い易い。
【００５５】
更に、本体ケース２の連結端部２ａの外面が既述の半円状面２ｂｆを有しているとともに、蓋体５の連結端部５ａの外面が既述の半円状面５ｂｆを有しているので、継手部材２１の第１の接続部２２と第２の接続部２３との間の距離Ｌを、連結端部２ａ，５ａの幅に略等しくできる。そのため、図５（Ｄ）のように水平に展開した状態で、連結端部２ａ，５ａ間にできる隙間を極力小さくできるので体裁上好ましい。それだけではなく、図５（Ｇ）のように背合わせ状態に展開した状態で、本体ケース２と蓋体５とを略平行に配して、極力薄い状態にできる。
【００５６】
携帯充電器１の電源電池３１に充電をする場合、最適な受光姿勢となるように携帯充電器１を図２（Ａ）〜（Ｄ）のいずれかの状態に開いて、両太陽電池パネル２６，２８を露出させ、その受光面に太陽光を受光させればよい。
【００５７】
この場合、第１の接続部２２が軸挟持部位１３ａで弾性的に挟持されているだけではなく、既述の開閉手順で説明したように第１係合突起２２ａが係合溝１５に係合されていることによる節度で、本体ケース２に対して継手部材２１が不用意に動かないように保持されている。これとともに、第２の接続部２３が軸挟持部位１７ａで弾性的に挟持されているだけではなく、既述の開閉手順で説明したように第２係合突起２３ａが係合溝１９に係合されていることによる節度で、蓋体５が継手部材２１に対して不用意に動かないように保持されている。このため、蓋体５はその開き角度の選択により図２（Ａ）〜（Ｄ）のいずれかの状態に示した開き位置に保持される。
【００５８】
更に、携帯充電器１が最大開き角度まで開かれた状態で、図５（Ｇ）に示すように背合わせ状態の本体ケース２と蓋体５との間には、若干の隙間Ｇが形成される。この隙間Ｇは連結端部２ａ，５ａ側を除いた三方が開放されている。
【００５９】
そのため、図３（Ａ）に示すように使用者の例えば胸等のポケットＰに蓋体５を差し込んで本体ケース２とともに第１の太陽電池パネル２６をポケットＰの外側に露出させて、携帯充電器１を携帯できる。或いは、この逆に図３（Ｂ）に示すように本体ケース２をポケットＰに差し込んで蓋体５とともに第２の太陽電池パネル２８をポケットＰの外側に露出させて、携帯充電器１を携帯できる。こうした用法により、第１の太陽電池パネル２６又は第２の太陽電池パネル２８に受光させて、携帯中にも電源電池３１に充電できる。又、同様な理由により、使用者のバッグやリュック等のポケットに支持させても電源電池３１に充電できる。
【００６０】
又、携帯充電器１は既述のように本体ケース２と蓋体５とが背合わせ状態となる最大開き角度まで開くことができるので、この状態で展示することにより、コンパクトに展示できるとともに、この展示状態では第１の太陽電池パネル２６又は第２の太陽電池パネル２８が視認されるので、展示物が携帯充電器１であることを知らしめることができる利点がある。その上、既述の節度により受光状態と同じく図２（Ａ）〜（Ｄ）に示すいずれかの開き状態として展示することも可能であるため、展示状態の多様化を図ることができる。
【００６１】
本発明は前記一実施形態には制約されない。例えば、電源電池３１及び充電コネクタ３５の少なくとも一方は、本体ケース(第１のケース)２ではなく、蓋体（第２のケース）５に設けてもよい。
【００６２】
又、本発明で、接続機構２０で開閉に節度を与える手段（係合溝及び係合突起）は省略してもよい。このため、第１の枢支部１２の第１の嵌合部１３、及び第２の枢支部１６の第２の嵌合部１７を単なる孔として、第１の嵌合部１３に継手部材２１の軸からなる第１の接続部２２を回転可能に嵌合させるとともに、第２の嵌合部１７に継手部材２１の軸からなる第２の接続部２３を回転可能に嵌合させて、接続機構２０を構成することもできる。
【００６３】
同様の理由により、第１の枢支部１２の第１の嵌合部１３、及び第２の枢支部１６の第２の嵌合部１７を軸で形成して、継手部材２１の第１の接続部２２を穴で形成して、この穴を第１の嵌合部１３に回転可能に嵌合させるとともに、継手部材２１の第２の接続部２３を穴で形成して、この穴を第２の嵌合部１７に軸からなる回転可能に嵌合させて、接続機構２０を構成することもできる。
【００６４】
又、継手部材２１が有する一対の第１の接続部２２、及び一対の第２の接続部２３は、それらが軸からなる場合、継手部材２１を貫通する金属の軸であっても差し支えない。又、既述のように開閉動作中に所定回転ごとに節度を与える場合、前記一実施形態とは逆に、蓋体(第２のケース)５と継手部材２１との間の節度を、本体ケース(第１のケース)２と継手部材２１との間の節度より強くして実施することも可能である。
【符号の説明】
【００６５】
１…携帯充電器（携帯電源装置）、２…本体ケース（第１のケース）、２ａ…本体ケース（第１のケース）の連結端部、２ｂｆ…半円状面、５…蓋体（第２のケース）、５ａ…蓋体（第２のケース）の連結端部、５ｂｆ…半円状面、１２…第１の枢支部、１３…第１の嵌合部、１３ａ…第１の軸挟持部位、１５…係合溝、１６…第２の枢支部、１７…第２の嵌合部、１７ａ…第２の軸挟持部位、１９…係合溝、２０…接続機構、２１…継手部材、２２…第１の接続部、２２ａ…第１係合突起、２３…第２の接続部、２３ａ…第２係合突起、２６…第１の太陽電池パネル、２８…第２の太陽電池パネル、３１…電源電池、３５…充電コネクタ、Ｌ…第１、第２の接続部間の距離、Ｔ…連結端部の厚み
【図１】
2011045206.tif 000003
【図２】
2011045206.tif 000004
【図３】
2011045206.tif 000005
【図４】
2011045206.tif 000006
【図５】
2011045206.tif 000007
【図６】
2011045206.tif 000008
【図７】
2011045206.tif 000009
【図８】
2011045206.tif 000010
【図９】
2011045206.tif 000011
【図１０】
2011045206.tif 000012
【図１１】
2011045206.tif 000013
【図１２】
2011045206.tif 000014